(57)【要約】【課題】機器本体と、機器本体を充電する充電台とを備える電気機器を梱包する梱包装置において、輸送中に振動等が加わっても部品の変形及び傷つきを防止できる梱包装置を提供する。【解決手段】機器本体１２と、機器本体１２を充電するときに機器本体１２を支持する支柱部１１ａと支柱部１１ａの基端側に設けられた土台部１１ｂとを有する充電台１１とを備える電気機器を梱包する梱包装置１において、外装箱５と、外装箱５の内部の下部に設置される下部パッド６と、充電台１１の支柱部１１ａを保持する支柱パッド７と、機器本体１２を保持する本体パッド８と、充電台１１及び機器本体１２を上から覆う上部パッド９と、を備える。【選択図】図１
2016098009.tif 000002
【特許請求の範囲】
【請求項１】
機器本体と、前記機器本体を充電するときに前記機器本体を支持する支柱部と前記支柱部の基端側に設けられた土台部とを有する充電台とを備える電気機器を梱包する梱包装置において、
外装箱と、
前記外装箱の内部の下部に設置される下部パッドと、
前記充電台の前記支柱部を保持する支柱パッドと、
前記機器本体を保持する本体パッドと、
前記充電台及び前記機器本体を上から覆う上部パッドと、
を備える梱包装置。
【請求項２】
前記下部パッドは、前記充電台の前記土台部に接触する第一接触面と、前記充電台の前記支柱部の外周面に接触する第二接触面とを有し、
前記支柱パッドは、前記支柱部の先端部を保持する請求項１に記載の梱包装置。
【請求項３】
前記電気機器は、付属品をさらに備え、
前記上部パッドは、前記付属品を収納する収納部を有する請求項１または請求項２に記載の梱包装置。
【請求項４】
前記電気機器は、付属品をさらに備え、
前記機器本体及び前記付属品は、前記充電台の前記支柱部の外周面と、前記外装箱の内面との間に配置される請求項１から請求項３のいずれか一項に記載の梱包装置。
【請求項５】
前記上部パッドは、前記充電台の前記土台部に接触する第一接触面と、前記充電台の前記支柱部の外周面に接触する第二接触面と、前記機器本体に接触する第三接触面とを有する請求項１から請求項４のいずれか一項に記載の梱包装置。
【請求項６】
前記下部パッド、前記支柱パッド、前記本体パッド、及び前記上部パッドは、それぞれ、シート状の梱包材料を折り曲げることで形成される請求項１から請求項５のいずれか一項に記載の梱包装置。
【発明の詳細な説明】
【技術分野】
【０００１】
本発明は、梱包装置に関する。
【背景技術】
【０００２】
下記特許文献１には、電気機器の梱包装置において、電気機器本体とその付属部品などを梱包するケ−スと、ケ−ス内の本体の前後にそれぞれ配設される前後緩衝体と、本体の下に配設される下緩衝体とを設け、前後緩衝体、下緩衝体を板状の発泡ＰＳを切断加工して形成する技術が開示されている。
【先行技術文献】
【特許文献】
【０００３】
【特許文献１】特開平１０−１３９０６９号公報
【発明の概要】
【発明が解決しようとする課題】
【０００４】
特許文献１の梱包装置では、電気機器本体の前後には前後緩衝体が設けられているが、それ以外の方向、例えば上方向には、緩衝体が無い。このため、輸送時に振動または衝撃を受けると、箱の中で部品が動き、輸送中に部品が傷つくという問題がある。
【０００５】
本発明は、上述のような課題を解決するためになされたもので、機器本体と、機器本体を充電する充電台とを備える電気機器を梱包する梱包装置において、輸送中に振動等が加わっても部品の変形及び傷つきを防止できる梱包装置を提供することを目的とする。
【課題を解決するための手段】
【０００６】
本発明に係る梱包装置は、機器本体と、機器本体を充電するときに機器本体を支持する支柱部と支柱部の基端側に設けられた土台部とを有する充電台とを備える電気機器を梱包する梱包装置において、外装箱と、外装箱の内部の下部に設置される下部パッドと、充電台の支柱部を保持する支柱パッドと、機器本体を保持する本体パッドと、充電台及び機器本体を上から覆う上部パッドと、を備えたものである。
【発明の効果】
【０００７】
本発明の梱包装置によれば、輸送時の振動等が加わったときにも、梱包される電気機器の充電台及び機器本体は、下部パッド、支柱パッド、本体パッド、上部パッドにより、外装箱の内部で動くことが確実に抑制されるため、部品同士が干渉することがなく、変形及び傷つきを確実に防止することが可能となる。
【図面の簡単な説明】
【０００８】
【図１】本発明の実施の形態１の梱包装置を示す分解斜視図である。
【図２】本発明の実施の形態１の梱包装置が備える支柱パッドを示す斜視図である。
【図３】本発明の実施の形態１の梱包装置が備える上部パッドを示す斜視図である。
【図４】本発明の実施の形態１の梱包装置の梱包完成状態から、上部パッド、付属品を取り去った状態を示す斜視図である。
【図５】本発明の実施の形態１の梱包装置の梱包完成状態を示す斜視図（外装箱は省略）である。
【図６】本発明の実施の形態１の梱包装置が備える上部パッドに付属品を設置した状態を示す斜視図（外装箱は省略）である。
【図７】本発明の実施の形態１の梱包装置の梱包完成状態を充電台の支柱部の長手方向に垂直な平面で切断した断面図である。
【図８】本発明の実施の形態１の梱包装置の梱包完成状態を示す斜視図である。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の実施の形態１の梱包装置を示す分解斜視図である。図２は、本実施の形態１の梱包装置１が備える支柱パッド７を示す斜視図である。図３は、本実施の形態１の梱包装置１が備える上部パッド９を示す斜視図である。
【００１１】
図１に示す本実施の形態１の梱包装置１は、電気機器を梱包する。本実施の形態１の梱包装置１が梱包する電気機器は、充電台１１と、機器本体１２と、付属品１３と、付属品１４とを備える。機器本体１２は、充電池を内蔵したコードレス式の機器である。充電台１１は、機器本体１２を支持する機能及び充電する機能を有する台である。充電台１１は、機器本体１２を充電するときに機器本体１２を支持する支柱部１１ａと、支柱部１１ａの基端側に設けられた土台部１１ｂとを有する。支柱部１１ａは、略円柱状を呈する。土台部１１ｂは、充電台１１を床に設置したとき、平面視で矩形を呈する。支柱部１１ａの外径は、土台部１１ｂの平面視における一辺の長さより短い。支柱部１１ａは、土台部１１ｂのほぼ中央部から突出する。
【００１２】
本実施の形態１における機器本体１２は、縦型の電気掃除機の本体である。機器本体１２は、充電池のほか、吸引力を発生させる電動送風機と、塵埃を捕集する集塵器と、電動送風機による吸引力が作用する通風管１２ａと、使用者が把持するための把持部（取っ手）１２ｂとを有する。付属品１４は、機器本体１２の通風管１２ａに着脱可能に接続される延長管である。付属品１３は、当該延長管（付属品１４）の先端に着脱可能に接続される床用吸込具である。充電台１１は、電源ケーブル（図示省略）を介して、外部電源に接続可能である。機器本体１２を充電台１１に載せることで、両者が電気的に接続され、機器本体１２の充電池が充電される。
【００１３】
梱包装置１は、外装箱５と、外装箱５の内部の下部に設置される下部パッド６と、充電台１１の支柱部１１ａを保持する支柱パッド７と、機器本体１２を保持する本体パッド８と、充電台１１及び機器本体１２を上から覆う上部パッド９とを備える。
【００１４】
外装箱５は、直方体形状を呈する。外装箱５は、例えば段ボールシート等の紙系のシート状の梱包材料を折り曲げることで形成される。外装箱５の上面には、開閉可能な蓋５ａが形成されている。下部パッド６、支柱パッド７、本体パッド８、上部パッド９、充電台１１、機器本体１２、付属品１３、及び付属品１４は、外装箱５の内部に収納される。図１は、外装箱５の蓋５ａを閉じた状態を示す。充電台１１は、支柱部１１ａが外装箱５の底面とほぼ平行になる姿勢で外装箱５に収納される。充電台１１は、下部パッド６の上に置かれる。
【００１５】
下部パッド６は、第一接触面６ａ及び第二接触面６ｂを有する。第一接触面６ａは、充電台１１の土台部１１ｂの一辺の側面に接触する。第二接触面６ｂは、充電台１１の支柱部１１ａの外周面に接触する。第一接触面６ａと第二接触面６ｂとは、異なる高さに形成される。下部パッド６の底面から第一接触面６ａまでの高さは、第二接触面６ｂまでの高さに比べて低い。充電台１１は、下部パッド６により下方から支持される。
【００１６】
支柱パッド７は、充電台１１の支柱部１１ａの先端部を保持する。図２に示すように、支柱パッド７は、支柱部１１ａの先端部が挿入可能な穴７ａを有する。穴７ａの直径は、支柱部１１ａの先端部の直径とほぼ等しい。
【００１７】
図１に示すように、本体パッド８は、機器本体１２の一部が挿入する溝８ａを有する。機器本体１２の通風管１２ａ及び把持部１２ｂが溝８ａに挿入する。通風管１２ａ及び把持部１２ｂと溝８ａとの間の摩擦力により、機器本体１２が本体パッド８に固定される。
【００１８】
図３に示すように、上部パッド９は、第一接触面９ａ、第二接触面９ｂ、第三接触面９ｃ、収納部９ｄ、収納部９ｅ、及び第四接触面９ｇを有する。第一接触面９ａは、充電台１１の土台部１１ｂの一辺の側面に接触する。第二接触面９ｂは、充電台１１の支柱部１１ａの外周面に接触する。第三接触面９ｃは、機器本体１２に接触する。収納部９ｄには、付属品１４が収納される。収納部９ｅには、付属品１３が収納される。第四接触面９ｇは、下部パッド６の第二接触面６ｂに接触する。充電台１１の土台部１１ｂは、下部パッド６の第一接触面６ａと、上部パッド９の第一接触面９ａとの間に挟まれる。充電台１１の支柱部１１ａは、下部パッド６の第二接触面６ｂと、上部パッド９の第二接触面９ｂとの間に挟まれる。
【００１９】
本実施の形態１では、下部パッド６、支柱パッド７、本体パッド８、及び上部パッド９は、それぞれ、例えば段ボールシート等の紙系のシート状の梱包材料を折り曲げることで形成される。これにより、発泡樹脂材料で各パッドを形成する場合に比べて、廃棄時の環境負荷を低減できる。ただし、本発明では、各パッドを上記以外の材料で形成しても良い。
【００２０】
図４は、本実施の形態１の梱包装置１の梱包完成状態から、上部パッド９、付属品１３及び１４を取り去った状態を示す斜視図である。図５は、本実施の形態１の梱包装置１の梱包完成状態を示す斜視図である。図４及び図５は、外装箱５の図示を省略し、外装箱５の中身を示す。図６は、本実施の形態１の梱包装置１が備える上部パッド９に付属品１３及び１４を設置した状態を示す斜視図である。図７は、本実施の形態１の梱包装置１の梱包完成状態を充電台１１の支柱部１１ａの長手方向に垂直な平面で切断した断面図である。図８は、本実施の形態１の梱包装置１の梱包完成状態を示す斜視図である。
【００２１】
以下、図４から図８を参照して、本実施の形態１の梱包装置１による梱包の工程について説明する。
（工程１）外装箱５の蓋５ａを開き、外装箱５の内部の下部（底面）に、下部パッド６を設置する。
（工程２）支柱パッド７の穴７ａに充電台１１の支柱部１１ａを挿入した後、支柱部１１ａが横向きになる姿勢で、充電台１１及び支柱パッド７を外装箱５の中に入れ、充電台１１を外装箱５内の下部パッド６の上に設置する。
（工程３）支柱部１１ａの外周面と、外装箱５の側面の内壁との間の空間に、本体パッド８を配置する。その後、機器本体１２の通風管１２ａ及び把持部１２ｂを本体パッド８の溝８ａに挿入することで、機器本体１２を本体パッド８に固定する。これにより、外装箱５の中は、図４に示す状態となる。
（工程４）上部パッド９の収納部９ｄに付属品１４を設置した後、上部パッド９を充電台１１及び機器本体１２の上に設置する。
（工程５）上部パッド９の収納部９ｅに付属品１３を設置する。これにより、外装箱５の中は、図５に示す状態となる。
（工程６）外装箱５の上面の蓋５ａを閉じることで、図７及び図８に示す梱包完成状態となる。
【００２２】
梱包完成状態では、下部パッド６の第一接触面６ａが土台部１１ｂを支持し、第二接触面６ｂが支柱部１１ａを支持する。充電台１１は、下部パッド６と、支柱パッド７の穴７ａとにより支持される。支柱パッド７は、外装箱５の内壁に接触することで、外装箱５の内部で動くことが抑制される。支柱部１１ａの先端部が支柱パッド７の穴７ａに保持されていることで、支柱部１１ａが外装箱５の内部で動くことを確実に抑制できる。
【００２３】
図７に示すように、本体パッド８の底面は、下部パッド６の第二接触面６ｂに支持される。本体パッド８は、充電台１１の支柱部１１ａに隣接するように配置される。本体パッド８は、機器本体１２の形状に合わせて形成される。本体パッド８は、支柱部１１ａの外周面と、外装箱５の側面の内壁と、充電台１１の土台部１１ｂと、支柱パッド７とで囲まれる空間に設置される。本体パッド８の寸法は、当該空間の寸法に対応した寸法になっており、当該空間に本体パッド８がほぼ隙間無く挿入することで、外装箱５の内部で本体パッド８が動くことが抑制される。本体パッド８の寸法は、支柱部１１ａの外周面と、外装箱５の側面の内壁との距離にほぼ等しい幅と、充電台１１の土台部１１ｂと、支柱パッド７との距離にほぼ等しい長さとを有する。外装箱５の内部で本体パッド８の動きが抑制されることで、本体パッド８に保持される機器本体１２も外装箱５の内部で動くことが抑制される。
【００２４】
梱包完成状態では、上部パッド９の上面は、外装箱５の上面の内壁とほぼ同じ位置になる。外装箱５の上面の蓋５ａを閉じた状態では、上部パッド９の上面は外装箱５の上面の内壁によって支持される。また、上部パッド９の第一接触面９ａは、充電台１１の土台部１１ｂに上から接触し、上部パッド９の第二接触面９ｂは、支柱部１１ａの外周面に上から接触する。上部パッド９の第三接触面９ｃは、機器本体１２に上から接触する。すなわち、梱包完成状態では、充電台１１及び機器本体１２は上部パッド９により上方を支持され、上部パッド９は外装箱５によって位置が固定される。したがって、充電台１１及び機器本体１２が外装箱５の内部で上下方向に動くことを確実に抑制できる。また、上部パッド９の第四接触面９ｇが下部パッド６の第二接触面６ｂに接触することで、上部パッド９が外装箱５の内部で上下方向に動くことをより確実に抑制できる。
【００２５】
収納部９ｄ及び９ｅは、梱包完成状態では、支柱部１１ａの外周面と外装箱５の内壁との間に形成される空間に位置する。収納部９ｄ及び付属品１４は、支柱部１１ａの上方に位置する。収納部９ｅ及び付属品１３は、支柱部１１ａを介して、本体パッド８及び機器本体１２の反対側に位置する。上部パッド９の第二接触面９ｂは、収納部９ｄの底面に形成されている。上部パッド９の第四接触面９ｇは、収納部９ｅの底面に形成されている。図６に示すように、付属品１３の一部は、収納部９ｅの底面に形成された開口９ｈから下方へ食み出す。図４及び図５に示すように、下部パッド６には、収納部９ｅの開口９ｈから下方へ食み出した部分の付属品１３を保持する凹部６ｃが形成されている。上部パッド９に収納部９ｄ，９ｅを設けたことで、付属品１３，１４が外装箱５の中で動くことによる変形及び傷つきを確実に抑制できる。
【００２６】
以上説明した本実施の形態１の梱包装置１によれば、梱包される電気機器の充電台１１及び機器本体１２は、下部パッド６、支柱パッド７、本体パッド８、上部パッド９、及び外装箱５により、各方向から支持されている。よって、輸送時の振動または衝撃を受けたときにも、充電台１１及び機器本体１２が外装箱５の中で動くことが確実に抑制され、他の部品との干渉も防止できる。このため、電気機器の輸送中の変形及び傷つきを確実に防止することが可能である。
【００２７】
また、機器本体１２及び付属品１３，１４が、支柱部１１ａの外周面と外装箱５の内面との間に形成される空間にそれぞれ配置されるため、支柱部１１ａの周囲のスペースを有効に活用でき、外装箱５のサイズを小さくすることが可能である。
【００２８】
また、本実施の形態１の梱包装置１は、各構成要素を、段ボールシート等の紙系の梱包材料を用いて形成可能である。よって、環境面に優れると共に、廃却時に分別する必要がなく、廃却性にも優れる。
【符号の説明】
【００２９】
１  梱包装置、５  外装箱、５ａ  蓋、６  下部パッド、６ａ  第一接触面、６ｂ  第二接触面、６ｃ  凹部、７  支柱パッド、７ａ  穴、８  本体パッド、８ａ  溝、９  上部パッド、９ａ  第一接触面、９ｂ  第二接触面、９ｃ  第三接触面、９ｄ，９ｅ  収納部、９ｇ  第四接触面、９ｈ  開口、１１  充電台、１１ａ  支柱部、１１ｂ  土台部、１２  機器本体、１２ａ  通風管、１２ｂ  把持部、１３，１４  付属品
【図１】
2016098009.tif 000003
【図２】
2016098009.tif 000004
【図３】
2016098009.tif 000005
【図４】
2016098009.tif 000006
【図５】
2016098009.tif 000007
【図６】
2016098009.tif 000008
【図７】
2016098009.tif 000009
【図８】
2016098009.tif 000010